(57)【要約】【課題】本発明は、電子装置を提供することを目的とする。【解決手段】本発明の電子装置は、筐体及び前記筐体の中間部に設置されるマザーボードを備え、前記マザーボードの上表面には、ソケットが設置され、前記マザーボードの側面には、カードエッジコネクターが設置され、第一変換カードが前記ソケットに差し込まれ、第一拡張カードが前記第一変換カードに差し込まれ、前記カードエッジコネクターが第二変換カードに差し込まれ、第二拡張カードが前記第二変換カードに差し込まれる。【選択図】図４
2013012194.tif 000002
【特許請求の範囲】
【請求項１】
筐体及び前記筐体の中間部に設置されるマザーボードを備え、前記マザーボードの上表面には、ソケットが設置され、前記マザーボードの側面には、カードエッジコネクターが設置され、第一変換カードが前記ソケットに差し込まれ、第一拡張カードが前記第一変換カードに差し込まれ、前記カードエッジコネクターが第二変換カードに差し込まれ、第二拡張カードが前記第二変換カードに差し込まれることを特徴とする電子装置。
【請求項２】
前記マザーボードは、前記筐体の中間部に設置される隔離板の上方に水平設置されることを特徴とする請求項１に記載の電子装置。
【請求項３】
前記隔離板の片側には、切欠口が設けられることを特徴とする請求項２に記載の電子装置。
【請求項４】
前記第二変換カードの側面には、水平方向に沿って挿入スロットが設けられ、前記挿入スロットの下方には、複数の第二拡張スロットが水平方向に沿って設けられ、前記第二変換カードは、前記隔離板の切欠口を貫いて、前記カードエッジコネクターが前記挿入スロットに差し込まれ、前記第二拡張スロットは、前記隔離板の下方に位置し、前記第二拡張カードが前記第二拡張スロットに差し込まれることを特徴とする請求項３に記載の電子装置。
【請求項５】
前記第一変換カード及び前記第二変換カードは、前記マザーボードに垂直となるように設置されることを特徴とする請求項１に記載の電子装置。
【発明の詳細な説明】
【技術分野】
【０００１】
本発明は、電子装置に関するものである。
【背景技術】
【０００２】
サーバーのような電子装置は、機能を拡張するために多くの拡張カードを装着することを必要とするが、従来の電子装置はレイアウトに制限されてしまい、さらに多くの拡張カードを装着することができない。
【発明の概要】
【発明が解決しようとする課題】
【０００３】
本発明の目的は、前記課題を解決し、さらに多くの拡張カードを装着することができる電子装置を提供することである。
【課題を解決するための手段】
【０００４】
本発明に係る電子装置は、筐体及び前記筐体の中間部に設置されるマザーボードを備え、前記マザーボードの上表面には、ソケットが設置され、前記マザーボードの側面には、カードエッジコネクターが設置され、第一変換カードが前記ソケットに差し込まれ、第一拡張カードが前記第一変換カードに差し込まれ、前記カードエッジコネクターが第二変換カードに差し込まれ、第二拡張カードが前記第二変換カードに差し込まれる。
【発明の効果】
【０００５】
従来の技術に比べて、本発明の電子装置は、マザーボードを筐体の中間部に設置し、第一拡張カード及び第二拡張カードを別々に前記マザーボードの上方及び下方で第一変換カード及び第二変換カードに差し込むことにしたので、前記マザーボードの拡張性を向上することができる。
【図面の簡単な説明】
【０００６】
【図１】本発明の実施形態に係る電子装置の立体分解図である。
【図２】図１に示す電子装置の組立図である。
【図３】図１に示す電子装置の一部分の部品を組立した後の局部拡大図である。
【図４】図２に示す電子装置の側面図である。
【発明を実施するための形態】
【０００７】
以下、図面を参照して、本発明の実施形態について説明する。
【０００８】
図１及び図２を参照すると、本発明の実施形態に係る電子装置は、筐体１０と、マザーボード２０と、第一変換カード３０と、第一拡張カード４０と、第二変換カード５０と、第二拡張カード６０と、を備える。
【０００９】
前記筐体１０は、箱形の本体１１と、前記本体１１の上部開口を覆うカバー１２と、を備える。前記本体１１は、底板１１１及び前記底板１１１の両側から上方に向って垂直に延在するように形成された２つの側板１１２を備える。前記カバー１２は、２つの前記側板１１２の頂部に設置されて前記本体１１と共に収容空間を形成する。前記筐体１０は、隔離板１１４をさらに備える。前記隔離板１１４は、２つの前記側板の中間部に接続されて、前記収容空間を上部空間及び下部空間に分割する。前記隔離板１１４における一方の前記側板１１２に近い箇所には、切欠口１１４２が設けられる。
【００１０】
前記マザーボード２０は、前記隔離板１４の上方に水平設置される。前記マザーボード２０の前記隔離板１１４側とは反対側の上表面には、ソケット２１が設置される。前記マザーボード２０の片側の辺縁には、カードエッジコネクター２３が設置され、前記カードエッジコネクター２３には、前記マザーボード２０に電気的に接続される金指（金メッキ端子）が形成される。
【００１１】
図３及び図４を参照すると、前記第一変換カード３０は、前記ソケット２１に垂直に差し込まれ且つ電気的に接続される。前記第一変換カード３０の側面には、第一拡張スロット３１が設けられる。前記第一拡張カード４０は、前記第一拡張スロット３１に差し込まれ且つ前記マザーボード２０に平行である。需要によって前記第一変換カード３０にさらに多くの拡張スロットを設置して、さらに多くの前記第一拡張カード４０を接続することができる。
【００１２】
前記第二変換カード５０の側面には、水平方向に沿って挿入スロット５１が設けられ、前記挿入スロット５１の下方には、複数の第二拡張スロット５３が水平方向に沿って設けられる。前記第二変換カード５０は、前記マザーボード２０に垂直となるように設置される。前記第二変換カード５０は、前記隔離板１１４の切欠口１１４２を貫いて、前記カードエッジコネクター２３を前記挿入スロット５１に差し込む。前記第二拡張スロット５３は、前記隔離板１１４の下方に位置する。前記第二拡張カード６０は、前記第二拡張スロット５３に差し込まれ且つ前記マザーボード２０に平行である。
【００１３】
本発明の電子装置は、前記マザーボード２０を前記筐体１０の中間部に設置し、前記第一拡張カード４０及び前記第二拡張カード６０を別々に前記マザーボード２０の上方及び下方で前記第一変換カード３０及び前記第二変換カード５０に差し込むことにしたので、前記マザーボード２０の拡張性を向上することができる。
【００１４】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００１５】
１０      筐体
１１      本体
１２      カバー
２０      マザーボード
２１      ソケット
２３      カードエッジコネクター
３０      第一変換カード
３１      第一拡張スロット
４０      第一拡張カード
５０      第二変換カード
５１      挿入スロット
５３      第二拡張スロット
６０      第二拡張カード
１１１    底板
１１２    側板
１１４    隔離板
１１４２  切欠口
【図１】
2013012194.tif 000003
【図２】
2013012194.tif 000004
【図３】
2013012194.tif 000005
【図４】
2013012194.tif 000006